(57)【要約】【課題】差込プラグ３と操作ボタン１０ｃを有し商用交流電源で動作するガス漏れ警報器において、交換期限お知らせ機能を解除するとき、誤操作を防止する。【解決手段】操作ボタン１０ｃを押しながら差込プラグ３を商用交流電源のコンセントに差し込み、起動処理を開始する。３秒タイマをスタートさせ、この３秒内に再度、操作ボタン１０ｃが押されたときに、交換期限お知らせ機能を解除する。３秒が経過すると設定内容表示の動作を行う。設定内容表示では、交換期限お知らせ機能が有効なときには操作ボタン１０ｃの下のＬＥＤ６を１回だけ点灯し、交換期限お知らせ機能が解除されたときはＬＥＤ６を２回点灯する。差込プラグ３をコンセントから抜き、再度、差込プラグ３を差し込むと起動処理を開始し、交換期限お知らせ機能を有効にもできる。【選択図】図２
2011128971.tif 000002
【特許請求の範囲】
【請求項１】
商用電源に接続するための差込プラグと、外部から手動操作可能なスイッチと、ガスセンサと、該ガスセンサのセンサ出力に基づいてガス漏れ警報を出力する制御手段とを備えたガス漏れ警報器であって、
前記制御手段は、
前記スイッチがオン状態で前記差込プラグを介して電源が供給されたときに、当該ガス漏れ警報器を使用開始状態とし、該使用開始状態となってから所定時間の間に、前記スイッチが一旦オフとなり、さらにオンとなると、当該ガス漏れ警報器の所定の機能を解除するとともに、該機能の解除状態でることを示す設定内容表示を行うことを特徴とするガス漏れ警報器。
【請求項２】
請求項１に記載のガス漏れ警報器であって、ガス漏れ警報を出力するときに鳴動するブザーを備え、前記使用開始状態となったときに、前記スイッチのオン状態が確定すると前記ブザーを鳴動させることを特徴とするガス漏れ警報器。
【発明の詳細な説明】
【技術分野】
【０００１】
本発明は、例えばガスセンサのセンサ出力に応じてガス漏れを検出してガス漏れ警報を行うガス漏れ警報器に関する。
【背景技術】
【０００２】
従来、点検スイッチを備えたＣＯ警報器において、プログラム的に出荷モードから本稼働モードとするように構成し、設置時に既存の点検スイッチが所定時間だけ連続してオン状態となったときに本稼動モードとすることで、余分なスイッチを必要とせずにモードを切り換えるようにしたものがある（特許文献１）。また、音声切り換え用のスイッチと点検用のスイッチとを兼用したガス警報器において、点検時の操作性を考慮しながらいたずら等を防止するために、収容ボックス内にスイッチを配設して、収容ボックスに形成された開口部からペン先なあどでスイッチ操作するようにしたものがある。（特許文献２）また、ガス漏れ警報器等において、警報器の所定時間内に電源のオン、オフを所定回数繰り返すことで試験モードを実行するようにしたものがある（特許文献３）。また、ガス漏れ警報器において、本体表面に設けられたスイッチを操作することで通常モードと侵入者監視モードとを切り換えるようにしたものがある（特許文献４）。
【０００３】
また、商用電源に接続するための差込プラグと操作スイッチを備えたガス漏れ警報であって、設置時に、操作ボタンを押した状態で差込プラグをコンセントに差し込むことにより、交換期限お知らせ機能を解除するようにしたガス漏れ警報器がある。
【先行技術文献】
【特許文献】
【０００４】
【特許文献１】特開２００７−２４１９３０号公報
【特許文献２】特開２００４−２５２６６２号公報
【特許文献３】特開２００４−３５５１１０号公報
【特許文献４】特開２００８−１０８０３７号公報
【発明の概要】
【発明が解決しようとする課題】
【０００５】
警報器のような装置では、警報器の設置状態（監視状態）でユーザが頻繁に操作するようなことは殆どない。また、設定する機能等も限られている。したがって、多くのスイッチを必要とせず、その分だけ低コストを図ることが可能である。しかしながら、例えば警報音を停止したい場合など、簡単にスイッチ操作を行えることも必要である。
【０００６】
しかしながら、スイッチ操作をし易いと、このスイッチ操作で機能を設定できるものにあっては誤操作により誤った設定となることもある。例えば、前記の交換期限お知らせ機能を解除できるようにしたガス漏れ警報器では、操作ボタンが本体から露出しており、操作ボタンを簡単に操作できるようになっているが、設置時に操作ボタンを誤って押してしまい、交換期限お知らせ機能を不用意に解除してしまうこともある。
【０００７】
本発明は、ガスセンサのセンサ出力に応じてガス漏れを検出してガス漏れ警報を行うガス漏れ警報器において、所定の機能の誤設定を防止することを課題とする。
【課題を解決するための手段】
【０００８】
請求項１のガス漏れ警報器は、商用電源に接続するための差込プラグと、外部から手動操作可能なスイッチと、ガスセンサと、該ガスセンサのセンサ出力に基づいてガス漏れ警報を出力する制御手段とを備えたガス漏れ警報器であって、前記制御手段は、前記スイッチがオン状態で前記差込プラグを介して電源が供給されたときに、当該ガス漏れ警報器を使用開始状態とし、該使用開始状態となってから所定時間の間に、前記スイッチが一旦オフとなり、さらにオンとなると、当該ガス漏れ警報器の所定の機能を解除するとともに、該機能の解除状態でることを示す設定内容表示を行うことを特徴とする。なお、前記所定の機能は、当該ガス漏れ警報器の交換期限を知らせる交換期限お知らせする機能でもよい。
【０００９】
請求項２のガス漏れ警報器は、請求項１に記載のガス漏れ警報器であって、ガス漏れ警報を出力するときに鳴動するブザーを備え、前記使用開始状態となったときに、前記スイッチのオン状態が確定すると前記ブザーを鳴動させることを特徴とする。
【発明の効果】
【００１０】
請求項１のガス漏れ警報器によれば、スイッチをオンとしながら差込プラグをコンセントに差し込み、使用開始状態となってからスイッチを一旦オフし、さらにオンしないと所定の機能が解除されないので、この所定の機能を解除するという不用意な誤設定を防止することができる。
【００１１】
請求項２のガス漏れ警報器によれば、請求項１の効果に加えて、ブザーの鳴動により、スイッチを一旦オフするタイミング、さらにオンするタイミングを把握しやすく、操作がし易くなる。
【図面の簡単な説明】
【００１２】
【図１】本発明の実施形態のガス漏れ警報器の要部回路ブロック図である。
【図２】実施形態のガス漏れ警報器の正面図である。
【図３】実施形態における起動処理のタイミングチャートの例である。
【図４】実施形態における設定内容表示の動作を示すタイミングチャートである。
【図５】実施形態における起動処理のフローチャートである。
【発明を実施するための形態】
【００１３】
次に、本発明の実施の形態を図面を参照して説明する。図１は本発明のガス漏れ警報器の要部回路ブロック図、図２は同ガス漏れ警報器の正面図である。このガス漏警報器１０はＬＰガスを検知対象ガスとするものであり、図２に示すように、その側面１０ｂに、雰囲気取込孔を有し、その内部に図１に示すガスセンサ２が収容されている。また、本体外部には差込プラグ３を備えており、この差込プラグ３を商用電源のコンセントに差し込むことにより、このガス警報器１０に電源が供給されて動作する。
【００１４】
前面１０ａには、半透明乳白色の樹脂製の操作ボタン１０ｃが配設され、この操作ボタン１０ｃを押すと図１に示すスイッチ７がｏｎとなる。なお、操作ボタン１０ｃを押すのを止めるとスイッチ７はｏｆｆとなる。また、操作ボタン１０ｃの内部には図１に示すＬＥＤ６が収容されており、このＬＥＤ６が点灯することで操作ボタン１０ｃの部分が発光する。また、本体内部には図１に示すブザー５が収容されている。そして、警報出力時、点検時、あるいは各種設定時に、ＬＥＤ６の点灯とブザー５によるブザー音により各種状態が報知される。なお、図２中の符号１０ｄは銘板である。
【００１５】
図１に示すように、このガス漏れ警報器１０は、制御部１と、前記ガスセンサ２と、前記差込プラグ３と、トランス４と、前記ブザー５と、前記ＬＥＤ６と、前記スイッチ７と、整流回路８とを備えている。上記ガスセンサ２は接触燃焼式のガスセンサ素子Ｒｓを備えており、このセンサ素子Ｒｓと共にブリッジ回路２１を構成するレファ素子Ｒｒ、固定抵抗Ｒ１及びＲ２有している。そして、ブリッジ回路２１には、トランス４によって降圧された商用交流電源（差込プラグ３）からの交流電圧Ｖｄ（電源電圧）が供給され、このブリッジ回路２１からのセンサ出力Ｖｓは差動増幅器Ａ１で増幅されて制御部（マイコン）１に供給される。また、トランス４の二次巻線から供給される交流電圧Ｖｄは増幅器Ａ２で増幅されて制御部１に供給される。
【００１６】
整流回路８はトランス４で降圧された交流電流を整流し、所定の直流電圧Ｖｏを制御部１、ブザー５及びＬＥＤ６に印加する。そして、直流電圧Ｖｏが制御部１に印加されることにより、後述の起動処理が開始される。ブザー５は、制御部１が駆動回路５１の２つのトランジスタのオンオフを制御することによりビープ音を発生して鳴動する。また、ＬＥＤ６は、制御部１が駆動回路６１の２つの抵抗を介してＬＥＤ６への電流の通電及び遮断を制御することにより、点灯及び消灯する。なお、この実施形態では、ブザー５の鳴動時の電流は５０ｍＡ、ＬＥＤ６の点灯時の電流は５ｍＡである。
【００１７】
制御部１は、プログラムに従って各種の処理を行う中央処理ユニット（ＣＰＵ）１ａが行う処理のプログラムなどを格納した読み出し専用のメモリであるＲＯＭ１ｂ、ＣＰＵ１ａでの各種の処理過程で利用するワークエリア、各種データを格納するデータ格納エリアなどを有する読み出し書き込み自在のメモリであるＲＡＭ１ｃ、所定のレジスタに設定された時間の計測あるいは日時、時刻等を計時するためのタイマ１ｄ、及びＥＥＰＲＯＭ１ｅ等を備えている。
【００１８】
以上の構成により、制御部１は、ガス警報器１０全体の制御を行い、差動増幅器Ａ１からのセンサ出力Ｖｓの振幅がＥＥＰＲＯＭ１ｅに記憶されている警報値以上になったときにブザー５及びＬＥＤ６を制御して警報を出力する。
【００１９】
ここで、このガス漏れ警報器１０は、ガス漏れ警報器１０全体を交換すべき交換期限をお知らせする機能（交換期限お知らせ機能）を備えている。この交換期限は、ガス漏れ警報器１０の起動時（設置時）から例えば５３４２４時間（約６年間）である。制御部１は最初に起動処理を行うと、その時から１時間毎に経過時間をＥＥＰＲＯＭ１ｅに書き込むようにしており、交換期限お知らせ機能が解除されていない場合ば、ＥＥＰＲＯＭ１ｅに書き込まれた経過時間が交換期限になると、ＬＥＤ６の２秒間点灯及び１秒間消灯の動作を繰り返して、交換期限であることを報知する。
【００２０】
そして、この交換期限お知らせ機能は、工場出荷時には有効（デフォルト）として設定されているが、起動処理において操作ボタン１０ｃ（スイッチ７）を操作することにより解除することもできる。この解除を行った後でも、差込プラグ３をコンセントから抜いて、再度、起動処理を行うことでお知らせ機能を有効として回復することができる。起動処理後は、交換期限お知らせ機能を解除してもＥＥＰＲＯＭ１ｅに対する経過時間の書き込み動作は常に行っている。また、途中で差込プラグ３を抜いてもＥＥＰＲＯＭ１ｅ内の経過時間のデータはそのまま保存される。すなわち、ＥＥＰＲＯＭ１ｅの経過時間のデータは、一番最初に起動処理を行った時点からの経過時間（駆動時間）となる。
【００２１】
図３はガス漏れ警報器１０の設置時の起動処理の動作を説明するタイミングチャートである。この起動処理は差込プラグ３をコンセントに差し込むことにより開始されるが、交換期限お知らせ機能を解除するときは、操作ボタン１０ｃを押しながら（スイッチ７をｏｎしながら）差込プラグ３を差し込む。そして、電源オンとなり、スイッチ７のｏｎ（スイッチ信号）が確定すると、１００ミリ秒間のブザー音（４ＫＨｚ）を発生しする。そして、差込プラグ３を差し込んでから３秒間内に、再度、操作ボタン１０ｃを押し（スイッチ７をｏｎし）、スイッチ７のｏｎが確定すると、１００ミリ秒間のブザー音（４ＫＨｚ）を発生しする。これにより、交換期限お知らせ機能は解除される。そして、上記の３秒間が経過すると、ＬＥＤ６により交換期限お知らせ機能の設定内容表示が行われる。交換期限お知らせ機能の解除を必要としない場合（有効のままとする場合）は、上記３秒間に操作ボタン１０ｃの操作をしないか、最初から操作ボタン１０ｃを操作しないて差込プラグ３の差し込みだけを行う。なお、電源オン以降はＬＥＤ６は暗点灯している。
【００２２】
図４は設定内容表示の動作を示すタイミングチャートである。図４(A) は交換期限お知らせ機能が有効に設定されている場合の設定内容表示の動作であり、この有効（非解除）の場合はＬＥＤ６が５００ミリ秒で一回だけ明点灯する。また、図４(B) は交換期限お知らせ機能が解除に設定されている場合の設定内容表示の動作であり、この解除の場合はＬＥＤ６が５００ミリ秒の明点灯を５００ミリ秒の暗点灯を挟んで２回行う。なお、設定内容表示の後は、点検モードに移行する。
【００２３】
次に、フローチャートに基づいて実施形態のガス漏れ警報器１０の要部動作を説明する。図５はガス漏れ警報器１０を起動するときの起動処理のフローチャートであり、差込プラグ３をコンセントに差し込んで前記直流電圧Ｖｏが制御部１に供給されて処理が開始される。まず、ステップＳ１で３秒タイマをスタートし、ステップＳ２及びＳ３で、３秒タイマがタイムアップするまでに、スイッチ７のスイッチ信号が確定するかを監視する。なお、「スイッチ信号が確定する」とは、スイッチ７のｏｎ状態が制御部１により検出されることである。スイッチ信号が確定せずに３秒タイマがタイムアップするとステップＳ１２に進む。３秒タイマがタイムアップする前にスイッチ信号が確定すると、ステップＳ４でブザー５によりブザー音を１００ミリ秒出力する。次に、ステップＳ５及びＳ６で、３秒タイマがタイムアップするまでに、スイッチ７がｏｆｆとなるかを監視する。
【００２４】
スイッチ７がｏｆｆとならずに３秒タイマがタイムアップすると、ステップＳ１２に進む。３秒タイマがタイムアップする前にスイッチ７がｏｆｆとなると、ステップＳ７及びＳ８で、３秒タイマがタイムアップするまでに、スイッチ７のスイッチ信号が確定するかを監視する。スイッチ信号が確定せずに３秒タイマがタイムアップするとステップＳ１２に進む。３秒タイマがタイムアップする前にスイッチ信号が確定すると、ステップＳ９でブザー５によりブザー音を１００ミリ秒出力する。そして、ステップＳ１０で、交換期限お知らせ機能を「解除（無し）」に設定し、ステップＳ１１で３秒タイマがタイムアップすると、ステップＳ１２で前掲の図４に示した設定内容表示の動作を行って、メインルーチンに進む。なお、メインルーチンでは点検モードの処理を行った後、通常の監視処理を行う。
【００２５】
以上の処理により、交換期限お知らせ機能の解除が可能となる。このように、操作ボタン１０ｃを押しながら差込プラグ３をコンセントに差し込むとともに、３秒以内に操作ボタン１０ｃのオフ操作及びオン操作を行わなければ、解除されないので、誤操作で不用意に解除されてしまうことを防止できる。なお、解除時は、ステップＳ１→Ｓ２→Ｓ４→Ｓ５→Ｓ７→Ｓ９→Ｓ１０のフローとなり、これ以外のフローでは交換期限お知らせ機能はデフォルトの有効のままとなる。
【００２６】
以上の実施形態では、交換期限お知らせ機能を解除する例について説明したが、本発明は、特に起動時に設定するような他の機能の解除等に適用してもよい。
【符号の説明】
【００２７】
１      制御部
２      ガスセンサ
３      差込プラグ
４      トランス
５      ブザー
６      ＬＥＤ
７      スイッチ
１０ｃ  操作ボタン
【図１】
2011128971.tif 000003
【図２】
2011128971.tif 000004
【図３】
2011128971.tif 000005
【図４】
2011128971.tif 000006
【図５】
2011128971.tif 000007